(57)【要約】【課題】送信先を特定する特定情報を含む画像を読み取り、その特定情報を用いて、送信先を設定する設定手段を備えたファクシミリ装置において、原稿の送信を受けた者が不信感を抱くことを抑制することができるファクシミリ装置を提供すること。【解決手段】ＱＲコードの消去がユーザにより選択され、またはＱＲコード部分に送付先情報、特定ロゴの上書きを選択した場合は、画像メモリ１５内には、ＱＲコードが削除された画像のデータが生成されるので、その画像データを受信した送信先ファクシミリ装置では、ＱＲコードのない画像を受け取ることができる。【選択図】図７
2008113370.tif 000002
【特許請求の範囲】
【請求項１】
送信先を特定する特定情報を含む第１画像を読み取る読取手段と、
前記読取手段により読み取られた第１画像に含まれる前記特定情報を用いて、送信先を設定する設定手段と、
前記読取手段により読み取られた第１画像から前記特定情報が削除された第２画像のデータを生成する生成手段と、
前記生成手段により生成したデータを、前記設定手段により設定した送信先に送信する送信手段とを備えることを特徴とするファクシミリ装置。
【請求項２】
前記特定情報によって特定される送信先に関する情報を表示する送信先情報表示手段と、
前記送信先情報表示手段により表示された送信先に関する情報を用いて、ユーザに送信先を選択させる選択手段とを備え、
前記生成手段は、前記第１画像に含まれる特定情報のうち、前記選択手段により、ユーザに選択された送信先に対応した特定情報が、前記第１画像から削除された第２画像のデータを生成するものであることを特徴とする請求項１に記載のファクシミリ装置。
【請求項３】
前記第１画像に複数の特定情報が含まれる場合、前記生成手段は、前記第１画像に含まれる複数の特定情報のうち、前記選択手段により、ユーザに選択された送信先に対応した特定情報のみが、前記第１画像から削除された第２画像のデータを生成するものであることを特徴とする請求項２に記載のファクシミリ装置。
【請求項４】
送信先ファクシミリ番号と、送信先名とを対応付けて記憶する記憶手段を備え、
前記送信先情報表示手段は、前記読取手段により読み取られた第１画像に含まれる前記特定情報で特定される送信先が、前記記憶手段に記憶されている送信先ファクシミリ番号と一致することを条件として、その一致した送信先ファクシミリ番号に対応する送信先名を表示するものであることを特徴とする請求項２または３に記載のファクシミリ装置。
【請求項５】
前記生成手段は、前記読取手段により読み取られた第１画像から前記特定情報が削除されると共に、その特定情報が削除された位置に所定画像が付加された第２画像のデータを生成することを特徴とする請求項１から４のいずれかに記載のファクシミリ装置。
【発明の詳細な説明】
【技術分野】
【０００１】
本発明はファクシミリ装置に関し、特に、送信先を特定する特定情報を含む画像を読み取り、その特定情報を用いて、送信先を設定する設定手段を備えたファクシミリ装置に関するものである。
【背景技術】
【０００２】
特定宛先専用マークを、送信原稿の所定の領域に付しておき、ファクシミリ装置に、その送信原稿を読み取らせる。読み取った原稿から特定宛先専用マークを検出し、その特定宛先専用マークに対応する送信先のファクシミリ番号をＲＡＭから読み出し、送信先として設定させる技術が知られている（特許文献１参照）。
【特許文献１】特開平１１−３２１３６号公報
【発明の開示】
【発明が解決しようとする課題】
【０００３】
しかしながら、特定宛先専用マーク自体を視認しただけでは、その情報の意味するところは不明である。よって、特定宛先専用マークが原稿に付されていると、その原稿の送信を受けた者は、意味不明なマークが付された印刷物を得ることとなるので、不信感を抱く場合があるという問題点があった。
【０００４】
本発明は、上記問題点を解決するためになされたものであり、送信先を特定する特定情報を含む画像を読み取り、その特定情報を用いて、送信先を設定する設定手段を備えたファクシミリ装置において、原稿の送信を受けた者が不信感を抱くようなデータの送信を抑制することができるファクシミリ装置を提供することを目的としている。
【課題を解決するための手段】
【０００５】
この目的を達成するために、請求項１記載のファクシミリ装置は、送信先を特定する特定情報を含む第１画像を読み取る読取手段と、前記読取手段により読み取られた第１画像に含まれる前記特定情報を用いて、送信先を設定する設定手段と、前記読取手段により読み取られた第１画像から前記特定情報が削除された第２画像のデータを生成する生成手段と、前記生成手段により生成したデータを、前記設定手段により設定した送信先に送信する送信手段とを備えることを特徴とする。
【０００６】
請求項２記載のファクシミリ装置は、請求項１記載のファクシミリ装置において、前記特定情報によって特定される送信先に関する情報を表示する送信先情報表示手段と、前記送信先情報表示手段により表示された送信先に関する情報を用いて、ユーザに送信先を選択させる選択手段とを備え、前記生成手段は、前記第１画像に含まれる特定情報のうち、前記選択手段により、ユーザに選択された送信先に対応した特定情報が、前記第１画像から削除された第２画像のデータを生成するものであることを特徴とする。
【０００７】
請求項３記載のファクシミリ装置は、請求項２記載のファクシミリ装置において、前記第１画像に複数の特定情報が含まれる場合、前記生成手段は、前記第１画像に含まれる複数の特定情報のうち、前記選択手段により、ユーザに選択された送信先に対応した特定情報のみが、前記第１画像から削除された第２画像のデータを生成するものであることを特徴とする。
【０００８】
請求項４記載のファクシミリ装置は、請求項２または３に記載のファクシミリ装置において、送信先ファクシミリ番号と、送信先名とを対応付けて記憶する記憶手段を備え、前記送信先情報表示手段は、前記読取手段により読み取られた第１画像に含まれる前記特定情報で特定される送信先が、前記記憶手段に記憶されている送信先ファクシミリ番号と一致することを条件として、その一致した送信先ファクシミリ番号に対応する送信先名を表示するものであることを特徴とする。
【０００９】
請求項５記載のファクシミリ装置は、請求項１から４のいずれかに記載のファクシミリ装置において、前記生成手段は、前記読取手段により読み取られた第１画像から前記特定情報が削除されると共に、その特定情報が削除された位置に所定画像が付加された第２画像のデータを生成することを特徴とする。
【発明の効果】
【００１０】
請求項１記載のファクシミリ装置によれば、読取手段により、送信先を特定する特定情報を含む第１画像が読み取られ、設定手段により、第１画像に含まれる特定情報を用いて、送信先が設定される。そして、生成手段により、第１画像から特定情報が削除された第２画像のデータが生成され、送信手段により、そのデータが、前記設定手段により設定した送信先に送信されるので、受信者は、第１画像から特定情報から削除された第２画像のデータを受信する。よって、受信者が不信感を抱くような受信者にとって意味不明な特定情報を削除したデータをファクシミリ送信データとして受信者に送信することができるという効果がある。
【００１１】
請求項２記載のファクシミリ装置によれば、請求項１記載のファクシミリ装置の奏する効果に加え、第１画像に含まれる特定情報のうち、ユーザに選択された送信先に対応した特定情報が、第１画像から削除された第２画像のデータが生成され、送信されるので、送信先の設定に用いられた特定情報、すなわち、受信者にとって意味のない特定情報が削除され、受信者が不信感を抱くようなデータの送信を抑制することができるという効果がある。また、ユーザが送信先を選択するのに先立って、特定情報によって特定される送信先に関する情報が表示されるので、ユーザは、視認しながら目的とする送信先を設定することができるという効果がある。例えば、特定情報によって特定される送信先が間違っていた場合には、送信処理をキャンセルするなどして、誤送信の防止も可能となる。
【００１２】
請求項３記載のファクシミリ装置によれば、請求項２記載のファクシミリ装置の奏する効果に加え、第１画像に複数の特定情報が含まれる場合、生成手段は、第１画像に含まれる複数の特定情報のうち、選択手段により、ユーザに選択された送信先に対応した特定情報のみが第１画像から削除された第２画像のデータを生成するので、送信先の設定に用いられた特定情報以外のその他の特定情報、すなわちユーザが受信者に対して送信したい特定情報、については残したままの画像を送信することができるという効果がある。
【００１３】
請求項４記載のファクシミリ装置によれば、請求項２または３記載のファクシミリ装置の奏する効果に加え、第１画像に含まれる前記特定情報で特定される送信先が、記憶手段に記憶されている送信先ファクシミリ番号と一致することを条件として、その一致した送信先ファクシミリ番号に対応する送信先名が表示されるので、ユーザは、送信先を容易に把握し、選択できるという効果がある。
【００１４】
請求項５記載のファクシミリ装置によれば、請求項１から４のいずれかに記載のファクシミリ装置の奏する効果に加え、特定情報が削除された位置に所定画像が付加された第２画像のデータが生成され、送信されるので、受信者が不信感を抱くようなデータの送信が、より抑制されるという効果がある。すなわち、特定情報が単に削除されるだけでなく、特定情報があった領域に所定画像が付加されることで、送信するデータのレイアウトが整えられ、送信するデータとして、読み取った原稿を加工したことすら受信者に感じさせないデータとして送信することができる。
【発明を実施するための最良の形態】
【００１５】
以下、本発明の好ましい実施形態について、添付図面を参照して説明する。本実施形態では、ファクシミリ装置として、ファクシミリ機能の他に、スキャナ機能やコピー機能、プリンタ機能などの多くの機能を１台に備えた多機能周辺装置１を用いて説明する。
【００１６】
図１は、多機能周辺装置１の電気的構成を示したブロック図である。多機能周辺装置１には、ＣＰＵ１１、ＲＯＭ１２、ＥＥＰＲＯＭ１３、ＲＡＭ１４、画像メモリ１５、音声メモリ１６、音声ＬＳＩ１８、ネットワーク・コントロール・ユニット（以下「ＮＣＵ」と称す）１９、モデム２０、バッファ２１、スキャナ２２、符号化部２３、復号化部２４、プリンタ２５、操作パネル４、ＬＣＤ５およびアンプ２７が設けられており、これらはバスライン３０を介して互いに接続されている。
【００１７】
ＮＣＵ１９は回線制御を行うためのものであり、多機能周辺装置１はこのＮＣＵ１９を介して電話回線３１に接続されている。ＮＣＵ１９は、交換機２９から送られる呼出信号や相手側装置の電話番号（発信者番号）を示す信号などの各種信号を受信するとともに、操作パネル４上のキーの操作に応じた発信時のダイヤル信号を交換機２９へ送信したり、更には通話時におけるアナログ音声信号の送受信を行うものである。
【００１８】
ＣＰＵ１１は、ＮＣＵ１９を介して送受信される各種信号に従って、バスライン３０により接続された各部を制御し、ファクシミリ動作や電話動作、即ち、データ通信を実行するものである。ＲＯＭ１２は、この多機能周辺装置１で実行される制御プログラムなどを格納した書換不能なメモリであり、図４から図８のフローチャートに示すプログラムは、このＲＯＭ１２内に格納されている。
【００１９】
ＥＥＰＲＯＭ１３は書換可能な不揮発性のメモリであり、ＥＥＰＲＯＭ１３へ記憶されたデータは、多機能周辺装置１の電源オフ後も保持される。このＥＥＰＲＯＭ１３は、電話帳メモリ１３１を備えている。電話帳メモリ１３１は、送信先ファクシミリ番号と、名前（送信先名）とを対応付けて記憶しておくメモリである。この電話帳メモリ１３１へのデータ入力は、ユーザにより行われる。
【００２０】
ＲＡＭ１４は、多機能周辺装置１の各動作の実行時に各種のデータを一時的に記憶するためのメモリであり、送信先メモリ１４１を備えている。送信先メモリ１４１は、スキャナ２２により読み取った原稿に含まれるＱＲコード（登録商標）に関するデータを格納するためのメモリである。送信先メモリ１４１の構成については図２を参照して後述する。なお、スキャナ２２により読み取られる原稿が、特許請求の範囲における「第１画像」の一例に該当する。また、ＱＲコードが、特許請求の範囲における「特定情報」の一例に該当する。
【００２１】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００２２】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。
【００２３】
音声ＬＳＩ１８は、ＮＣＵ１９によって受信されたアナログ音声信号をデジタル音声信号に変換する音声認識処理と、多機能周辺装置１の内部で生成されたデジタル音声信号をアナログ音声信号に変換して、ＮＣＵ１９やスピーカ２８（アンプ２７）へ出力する音声合成処理とを行うためのものである。モデム２０は、画情報及び通信データを変調及び復調して伝送すると共に伝送制御用の各種手順信号を送受信するためのものである。バッファ２１は、相手側装置との間で送受信される符号化された画情報を含むデータを一時的に記憶するためのものである。
【００２４】
スキャナ２２は、原稿挿入口（図示せず）に挿入された原稿を画像データとして読み取るためのものであり、原稿搬送用モータを備えている。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。プリンタ２５は、インクジェット方式のプリンタで構成され、記録紙を搬送する記録紙用搬送モータと、印字ヘッドを搭載したキャリッジを移動させるキャリッジモータと、記録紙へインクを吐出する印字ヘッドとを備えている。アンプ２７は、そのアンプ２７に接続されたスピーカ２８を鳴動して、呼出音や音声を出力するためのものである。
【００２５】
操作パネル４は、複数のキーを備えており、特に、ＱＲ−ＦＡＸスタートボタン（ＱＲファクシミリスタートボタン）とを供えている。ＱＲ−ＦＡＸスタートボタンが押下された場合、スキャナ２２により読み取った原稿に基づいて、画像データが作成され、送信先ファクシミリ装置に送信される。この際、スキャナ２２により読み取った原稿にＱＲコードが含まれる場合は、そのＱＲを抽出し、デコード（変換）して得られるファクシミリ番号を、送信先ファクシミリ装置として設定される。すなわち、ユーザは、送信先ファクシミリ装置のファクシミリ番号を自動で設定することができる。なお、ＱＲ−ＦＡＸスタートボタンが押下された場合の処理については、図４から図８を参照して後述する。
【００２６】
さらに多機能周辺装置１には、受話器３、液晶表示器（ＬＣＤ）５、複数枚の原稿をセットして自動的に連続読み取りを行う原稿自動送り装置（図示せず）が備えられている。
【００２７】
このように構成された多機能周辺装置１は、ＮＣＵ１９を介して、電話回線３１に接続されている。この電話回線３１は、多機能周辺装置１側の交換機２９に接続され、この交換機２９は電話回線３２を介して、他の交換機に接続されている。なお、他の交換機は、更に、電話回線を介して相手側装置に接続されている。
【００２８】
図２は、送信先メモリ１４１の構成を模式的に示した図である。上述したように、操作パネル４のＱＲ−ＦＡＸスタートボタンが押下された場合、スキャナ２２により読み取った原稿からＱＲコードが抽出され、デコードされる。デコードして得られたデコードデータ内にファクシミリ番号が含まれる場合は、ＱＲコード毎に、そのＱＲコードに関するＱＲコード情報が送信先メモリ１４１に格納される。ここで、ＱＲコード情報とは、そのＱＲコードの位置を示す情報とそのＱＲコードをデコードして得られるデコードデータとを意味する。
【００２９】
図２に示すように、送信先メモリ１４１は、コード登録番号エリア１４１０と、デコードデータを格納するデコードデータエリア１４１１と、第一階層表示エリア１４１２と、第二階層表示エリア１４１３と、座標左上エリア１４１４と、座標右上エリア１４１５と、座標左下エリア１４１６と、座標右下エリア１４１７と、同件番号有りエリア１４１８と、決定送付先エリア１４１９とを備えている。
【００３０】
コード登録番号エリア１４１０は、コード登録番号を格納するエリアである。コード登録番号は、ＱＲコード情報に一対一に対応付けられる番号であり、各ＱＲ情報を管理するための番号である。
【００３１】
デコードデータエリア１４１１は、ＱＲコードをデコードして得られたデコードデータを格納するエリアである。デコードデータは、数字、文字などのテキストデータで構成されるので、その中に、名前、住所、ファクシミリ番号などを記述することができる。ここで、そのデコードデータに、名前、住所、ファクシミリ番号等の属性を表す所定のタグを記述することにより、各データの属性を識別できる。例えば、タグ[ＮＡＭＥ１],[ＮＡＭＥ２]が付されたテキストデータは名前を示すものであると識別でき、タグ[ＦＡＸ１],[ＦＡＸ２]が付されたテキストデータはファクシミリ番号を示すものであると識別できる。なお、デコードデータの先頭には、例えば、タグ［ＱＲＦＡＸＴＯ］など、データの種別を示すタグが付される。
【００３２】
第一階層表示エリア１４１２は、最初にＬＣＤ５に表示するデータを格納するエリアである。デコードデータ内に、タグ［ＮＡＭＥ］が付された文字データがある場合、そのタグが付された名前のデータを、第一階層表示エリア１４１２に格納する（図２におけるコード登録番号１，２のデータを参照）。
【００３３】
また、デコードデータ内に、タグ［ＮＡＭＥ］が付された文字データがない場合、すなわち、ＱＲコードに名前のデータが収納されていない場合は、デコードデータ内に含まれるファクシミリ番号を抽出し、その抽出したファクシミリ番号と一致するファクシミリ番号が、電話帳メモリ１３１（図１参照）に記憶されているか否かを調べる。そして、一致するファクシミリ番号が電話帳メモリ１３１に記憶されている場合は、そのファクシミリ番号に対応する名前を第一階層表示エリア１４１２に格納する（図２におけるコード登録番号３のデータを参照）。一方、デコードデータ内に含まれているファクシミリ番号と一致するファクシミリ番号が電話帳メモリ１３１に記憶されていない場合は、そのファクシミリ番号自体を、第一階層表示エリア１４１２に格納する（図２におけるコード登録番号４のデータを参照）。
【００３４】
第二階層表示エリア１４１３は、デコードデータ内にファクシミリ番号が複数含まれる場合に、その複数のファクシミリ番号を格納するエリアである。第二階層表示エリア１４１２にデータが格納された送信先データがユーザによって選択された場合、第二階層表示エリア１４１２内のデータが、ＬＣＤ５に表示される。これにより、デコードデータ内に複数のファクシミリ番号が存在する場合であっても、ユーザは所望するファクシミリ番号を選択することができる。
【００３５】
座標左上エリア１４１４、座標右上エリア１４１５、座標左下エリア１４１６、座標右下エリア１４１７は、原稿におけるＱＲコードの位置情報を格納するためのエリアである。スキャナ２２により原稿が読み込まれ、画像データが生成されると、その画像データの所定の一点を原点として設定される直交座標系において、ＱＲコード左上頂点の座標、右上頂点の座標、左下頂点の座標、右下頂点の座標が、座標左上エリア１４１４、座標右上エリア１４１５、座標左下エリア１４１６、座標右下エリア１４１７に、それぞれ格納される。
【００３６】
同件番号有りエリア１４１８は、デコードデータに含まれるファクシミリ番号と一致するファクシミリ番号が、電話帳メモリ１３１内に記憶されているか否かを示すデータが格納されるエリアである。一致するファクシミリ番号がある場合は、例えば、「○」が格納され（図２におけるコード登録番号３のデータを参照）、一致するファクシミリ番号がない場合は、例えば、「×」が格納される。
【００３７】
決定送付先エリア１４１９は、ユーザにより選択されたファクシミリ番号が格納されるエリアである。この決定送付先エリア１４１９に格納されたファクシミリ番号が、送信先として設定される。
【００３８】
次に図３を参照して、ＬＣＤ５（図１参照）において、どのような順序で送信先情報が表示されるかについて説明する。図３は、ＬＣＤにおける送信先情報の表示の順序を示す図である。まず、送信先メモリ１４１の第一階層表示エリア１４１２に格納されたデータが、コード登録番号の順に表示される。すなわち、送信パネル４の進みキー（図示せず）の押下により、コード登録番号が小から大の方向に、第一階層表示エリア１４１２のデータが順次表示される。このように、第一階層表示エリア１４１２のデータを順次表示するので、送信先メモリ１４１に複数のデコードデータが格納されている場合、すなわち、ファクシミリ番号を収納したＱＲコードが１つの原稿に複数存在していた場合であっても、いずれか１つの送信先を、ユーザに選択させることができる。また、上述のように、ＱＲコードに名前のデータが収納されていない場合であっても、電話帳メモリ１３１（図１参照）から名前のデータが取得できる場合、電話帳メモリ１３１の名前のデータが第一階層表示エリア１４１２に格納されるので、ＬＣＤ５には、名前のデータが表示され、ユーザにとっては送信先が判別しやすく、選択作業が容易である。
【００３９】
第一階層表示エリア１４１２に格納されたデータのうち、いずれか１つがユーザにより選択されると、次に、そのデータについての第二階層表示エリア１４１３にデータが格納されているか否かを判断する。図２で参照したコード登録番号「１」のデータのように、第二階層表示エリア１４１３にデータが格納されている場合、その第二階層表示エリア１４１３に格納されている複数のファクシミリ番号を順番に表示する。このようにすれば、１つのＱＲコードからデコードしたデータの中に、複数のファクシミリ番号が含まれている場合であっても、ユーザは、その複数のファクシミリ番号の中から所望のものを選択することができる。
【００４０】
次に、図４から図８のフローチャートを参照して、上記のように構成された多機能周辺装置１の動作について説明する。図４は、ファクシミリ送信処理を示したフローチャートである。このファクシミリ送信処理は、多機能周辺装置１に電源が投入されると起動する処理であり、まず、操作パネル４に設けられたＱＲ−ＦＡＸスタートボタン（図示せず）が押下されたか否かを確認する（Ｓ２）。
【００４１】
Ｓ２により確認した結果、ＱＲ−ＦＡＸスタートボタンの押下がなかった場合（Ｓ２：Ｎｏ）、待機する。一方、ＱＲ−ＦＡＸスタートボタンの押下があった場合（Ｓ２：Ｙｅｓ）、Ｓ４の処理へ移行する。
【００４２】
次に、原稿をスキャナ２２により読み取る（Ｓ４）。原稿には、例えば、図９（ａ）に示すように、右上の所定領域にＱＲコードが含まれている。読み取った原稿に基づいて、スキャナ２２により生成された画像データは、画像メモリ１５に蓄積される。次に、１枚目の画像データを抽出し（Ｓ６）、その抽出した画像データから、さらに、ＱＲコードを抽出する（Ｓ８）。なお、送信先を特定するためのＱＲコードは、１枚目に付されていることがほとんどであるため、本実施形態では、１枚目の画像データのみからＱＲコードを抽出することとして説明するが、読み取った全てのページ分の画像データからＱＲコードを抽出することとしても良い。
【００４３】
次に、ＱＲコードが有るか否かを判断する（Ｓ１０）。ＱＲコードがない場合（Ｓ１０：Ｎｏ）はＳ１２の処理をスキップする。一方、ＱＲコードが有る場合（Ｓ１０：Ｙｅｓ）、Ｓ１２のコード変換処理に移行する。このコード変換処理ではＱＲコードをデコードする。なお、コード変換処理（Ｓ１２）については、図５を参照して後述する。
【００４４】
次に、送信処理を実行する（Ｓ１４）。送信処理では、送信先のファクシミリ番号が設定され、そのファクシミリ番号の送信先ファクシミリ装置に画像データが送信し、１つの原稿についての送信動作が完了する。なお、送信処理（Ｓ１４）については、図７を参照して後述する。送信処理（Ｓ１４）の終了後は、Ｓ２の処理に戻り、ＱＲ−ＦＡＸスタートボタンが押下されるまで待機する。
【００４５】
図５は、コード変換処理（Ｓ１２）を示すフローチャートである。コード変換処理（Ｓ１２）は、１枚目の原稿にＱＲコードが含まれていた場合に実行される処理である。
【００４６】
まず、変数Ｎを「１」とする（Ｓ１２２）。次に、Ｎ番目のＱＲコードをデコードする（Ｓ１２４）。次に、得られたデコードデータからファクシミリ番号を抽出する（Ｓ１２６）。なお、ここでは、所定の桁数を有する数字の列をファクシミリ番号として抽出するものとする。
【００４７】
次に、デコードデータ内にファクシミリ番号があったか否かを判断する（Ｓ１２８）。デコードデータ内にファクシミリ番号が有る場合（Ｓ１２８：Ｙｅｓ）、そのデコードデータを、送信先メモリ１４１に格納する送信先データ登録処理を実行する（Ｓ１３０）。なお、送信先データ登録処理については、図６を参照して後述する。一方、デコードデータ内にファクシミリ番号がない場合（Ｓ１２８：Ｎｏ）、Ｓ１３０をスキップする。すなわち、ＱＲコードがファクシミリ番号を収納するものでない場合、そのデコードデータは送信先メモリ１４１に格納しない。
【００４８】
次に、変数Ｎに「１」を加算し（Ｓ１３２）、Ｎ番目のＱＲコードがあるか否かを判断する（Ｓ１３４）。Ｎ番目のＱＲコードがある場合（Ｓ１３４：Ｙｅｓ）、Ｓ１２４に戻り処理を繰り返すが、Ｎ番目のＱＲコードがない場合（Ｓ１３４：Ｎｏ）、コード変換処理を終了する。コード変換処理によれば、１枚目の原稿に含まれる全てのＱＲコードがデコードされると共に、ファクシミリ番号を含むデコードデータが、送信先メモリ１４１に格納される。
【００４９】
図６は、送信先データ登録処理（Ｓ１３０）を示すフローチャートである。送信先データ登録処理は、ＱＲコードをデコードして得られたデコードデータ内にファクシミリ番号が有る場合に実行される処理である。
【００５０】
まず、ＱＲコードの位置を示す座標を、座標左上エリア１４１４、座標右上エリア１４１５、座標左下エリア１４１６、座標右下エリア１４１７に格納し（Ｓ１３０１）、ＱＲコードをデコードして得られたデコードデータを、デコードデータエリア１４１１に格納する（Ｓ１３０２）。
【００５１】
次に、デコードデータの先頭にタグ［ＱＲＦＡＸ］が記述されているか否かを判断する（Ｓ１３０３）。この［ＱＲＦＡＸ］タグが記述されている場合（Ｓ１３０３：Ｙｅｓ）、そのデコードデータ内にファクシミリ番号を識別するためのタグ［ＦＡＸ］が複数あるか否かを判断する（Ｓ１３０４）。タグ［ＦＡＸ］が複数ある場合（Ｓ１３０４：Ｙｅｓ）、そのタグにより識別されるファクシミリ番号を示すデータを、デコードデータから抽出し、第二階層表示エリア１４１３（図２参照）に格納する。一方、タグ［ＦＡＸ］が１つのみの場合（Ｓ１３０４：Ｎｏ）、Ｓ１３０６をスキップし、Ｓ１３０８の処理に移行する。
【００５２】
次に、タグ［ＮＡＭＥ］で識別される名前を示すデータをデコードデータから抽出し、第一階層表示エリア１４１２（図２参照）に格納し（Ｓ１３０８）、送信先データ登録処理を終了する。
【００５３】
一方、デコードデータの先頭にタグ［ＱＲＦＡＸ］が記述されていない場合（Ｓ１３０３：Ｎｏ）、デコードデータ内のファクシミリ番号と一致するファクシミリ番号が、電話帳メモリ１３１（図１参照）内に格納されているか否かを判断する（Ｓ１３１０）。一致するファクシミリ番号が電話帳メモリ１３１内に存在する場合（Ｓ１３１０：Ｙｅｓ）、電話帳メモリ１３１内において、その一致するファクシミリ番号に対応付けられている名前を、第一階層表示エリア１４１２に格納し（Ｓ１３１２）、送信先データ登録処理を終了する。すなわち、デコードデータから名前を示すデータを抽出できない場合であっても、電話帳メモリ１３１から、そのファクシミリ番号に対応した名前を取得し、第一階層表示エリア１４１２に格納することができる。
【００５４】
一方、一致するファクシミリ番号が電話帳メモリ１３１内に存在しない場合（Ｓ１３１０：Ｎｏ）、デコードデータ内に含まれるファクシミリ番号を第一階層表示エリア１４１２に格納し（Ｓ１３１４）、処理を終了する。
【００５５】
送信先データ登録処理（Ｓ１３０）によれば、ファクシミリ番号に対応した名前が取得できる場合は、名前を第一階層表示エリア１４１２に格納し、ファクシミリ番号に対応した名前を取得できない場合、ファクシミリ番号を第一階層表示エリア１４１２に格納する。また、デコードデータ内のタグから、ファクシミリ番号が複数含まれていることが判断された場合には、その複数のファクシミリ番号を第二階層表示エリア１４１３に格納する。
【００５６】
図７は、送信処理（Ｓ１４）を示すフローチャートである。送信処理では、まず、送信先メモリ１４１にデータがあるか否かを判断する（Ｓ１４２）。ファクシミリ番号を含むＱＲコードが存在しなかった場合は、送信先メモリ１４１にデータが格納されないので（Ｓ１４２：Ｎｏ）、操作パネル４（図１参照）からファクシミリ番号がユーザにより直接入力されるまで待機する（Ｓ１４４）。そして、操作パネル４からファクシミリ番号が入力されると（Ｓ１４４：Ｙｅｓ）、多機能周辺装置１は、回線を閉結し、入力されたファクシミリ番号の送信先ファクシミリ装置を発呼する（Ｓ１６２）。発呼された送信先装置との間で電話回線が接続される（つながる）と、多機能周辺装置１は、画像メモリ１５内の画像データを送信先ファクシミリ装置へ送信する（Ｓ１６４）。
【００５７】
一方、送信先メモリ１４１にデータがある場合、その送信先メモリ１４１に格納されたファクシミリ番号の中から少なくとも１つのファクシミリ番号をユーザに選択させる送信先決定処理を実行する（Ｓ１４６）。なお、送信先決定処理（Ｓ１４６）の詳細については、図８を参照して後述する。
【００５８】
次に、ＱＲコード部分を消去するか否かをユーザに問い合わせ、ＱＲコード部分を消去することをユーザが選択した場合（Ｓ１５０：Ｙｅｓ）、画像メモリ１５に格納された画像データにおいて、Ｓ１４６で決定された送信先に対応するＱＲコード部分を白ピクセルで上書きし（Ｓ１５２）、Ｓ１６２の処理に移行する。すなわち、スキャナ２２により読み取った原稿から、送信先として決定されたファクシミリ番号に対応したＱＲコードが削除された画像のデータを生成する。ここで、ＱＲコードの位置は、送信先メモリ１４１の座標左上エリア１４１４、座標右上エリア１４１５、座標左下エリア１４１６、座標右下エリア１４１７に格納されたデータから決定する。なお、ＱＲコード部分を消去することをユーザが選択しなかった場合（Ｓ１５０：Ｎｏ）、Ｓ１５２の処理をスキップする。
【００５９】
次に、ＱＲコード部分に、送付先情報を上書きするか否かをユーザに問い合わせ、ＱＲコード部分に送付先情報を上書きすることをユーザが選択した場合（Ｓ１５４：Ｙｅｓ）、画像メモリ１５に格納された画像データにおいて、Ｓ１４６で決定された送信先に対応するＱＲコード部分を送付先情報で上書きし（Ｓ１５６）、Ｓ１６２の処理に移行する。すなわち、スキャナ２２により読み取った原稿から、送信先として決定されたファクシミリ番号に対応したＱＲコードが削除されると共に、その削除された領域に送信先情報が付加された画像のデータを生成する。ここで、送付先情報とは、例えば、デコードデータから得られる送信先のファクシミリ番号や送信先名などが該当する。なお、ＱＲコード部分に送信先情報を付加することをユーザが選択しなかった場合（Ｓ１５４：Ｎｏ）、Ｓ１５６の処理をスキップする。
【００６０】
次に、ＱＲコード部分に、特定ロゴを上書きするか否かをユーザに問い合わせ、ＱＲコード部分に特定ロゴを上書きすることをユーザが選択した場合（Ｓ１５８：Ｙｅｓ）、画像メモリ１５に格納された画像データにおいて、Ｓ１４６で決定された送信先に対応するＱＲコード部分を特定ロゴで上書きし（Ｓ１６０）、Ｓ１６２の処理に移行する。すなわち、スキャナ２２により読み取った原稿から、送信先として決定されたファクシミリ番号に対応したＱＲコードが削除されると共に、その削除された領域に特定ロゴが付加された画像のデータを生成する。なお、ＱＲコード部分に特定ロゴを付加することをユーザが選択しなかった場合（Ｓ１５８：Ｎｏ）、Ｓ１６０の処理をスキップする。
【００６１】
次に、多機能周辺装置１は、回線を閉結し、送信先決定処理（Ｓ１４６）で決定されたファクシミリ番号の送信先装置を発呼する（Ｓ１６２）。発呼された送信先装置との間で電話回線が接続される（つながる）と、多機能周辺装置１は、画像メモリ１５内の画像データを送信先装置へ送信する（Ｓ１６４）。ここで、ＱＲコードの消去がユーザにより選択され、またはＱＲコード部分に送付先情報、特定ロゴの上書きを選択した場合は、画像メモリ１５内には、ＱＲコードが削除された画像のデータが生成されるので、その画像データを受信した送信先ファクシミリ装置では、ＱＲコードのない画像を受け取ることができる。図９（ｂ）では、図９（ａ）の原稿から、ＱＲコードを削除し、特定ロゴを上書きした場合の例を示している。この特定ロゴは、あらかじめＥＥＰＲＯＭ１３に記憶されている。なお、ＱＲコードのあった領域に、送信先情報や特定ロゴを上書きした場合には、ＱＲコードが削除された領域がそのまま空白となって残る場合に比較して、レイアウトが整うので、受信者は、より違和感のない画像を受け取ることができる。なお、送信先情報および特定ロゴが、特許請求の範囲に記載の「所定画像」の一例に相当する。
【００６２】
図８は、送信先決定処理（Ｓ１４６）を示すフローチャートである。送信先決定処理は、送信先メモリ１４１内のデータに基づいて、送信先のファクシミリ番号を決定する処理である。
【００６３】
まず、変数Ｎを「１」とする（Ｓ１４６０）。次に、送信先メモリ１４１における、コード登録番号がＮ番目の第一階層表示エリア１４１２のデータを、ＬＣＤ５（図１参照）に表示する（Ｓ１４６２）。
【００６４】
ユーザが操作パネル４（図１参照）において決定キー（図示せず）を押下することにより、現在表示しているデータを選択することができるが、決定キー以外のキーが押下された場合（Ｓ１４６４：Ｎｏ）、変数Ｎに「１」を加算する（Ｓ１４６６）。次に、Ｎ番目のコード登録番号があるか否かを判断し（Ｓ１４６８）、Ｎ番目のコード登録番号がある場合（Ｓ１４６８：Ｙｅｓ）、Ｓ１４６２の処理に戻り、次の第一階層表示エリア１４１２のデータを表示する（Ｓ１４６２）。このようにして処理を繰り返すうちに、Ｎ番目のコード登録番号無しと判断されると（Ｓ１４６２：Ｎｏ）、Ｓ１４６０に戻り、変数Ｎを「１」として、コード登録番号「１」番目の第一階層表示エリア１４１２のデータを表示する。
【００６５】
このようにして、第一階層表示エリア１４１２のデータをコード登録番号の順番に表示するうちに、ユーザが操作パネル４において決定キーを押下し、現在表示しているデータを選択した場合（Ｓ１４６４：Ｙｅｓ）、コード登録番号がＮ番目の第二階層表示エリア１４１３にデータがあるか否かを判断する（Ｓ１４７０）。第二階層表示エリア１４１３にデータがない場合（Ｓ１４７０：Ｎｏ）、Ｓ１４７２、Ｓ１４７４の処理をスキップする。そして、コード登録番号Ｎ番目のデコードデータに含まれるファクシミリ番号を、決定送付先エリア１４１９に格納し（Ｓ１４７６）、送信先決定処理を終了する。
【００６６】
一方、第二階層表示エリア１４１３にデータがある場合（Ｓ１４７０：Ｙｅｓ）、その第二階層表示エリア１４１３に格納されているファクシミリ番号の一つを、ＬＣＤ５に表示する（Ｓ１４７２）。次に、ユーザが操作パネル４において決定キーを押下することにより、現在表示しているファクシミリ番号を選択したか否かを判断する（Ｓ１４７４）。
【００６７】
ユーザが操作パネル４において決定キー以外のキーを押下することにより、現在表示しているファクシミリ番号を選択しなかった場合（Ｓ１４７４：Ｎｏ）、第二階層表示エリア１４１３に格納された次のファクシミリ番号をＬＣＤ５に表示する（Ｓ１４７２）。
【００６８】
このようにして、第二階層表示エリア１４１３に格納されたファクシミリ番号を順番に表示するうちに、現在表示しているファクシミリ番号が選択された場合（Ｓ１４７４：Ｙｅｓ）、決定送付先エリア１４１９にそのファクシミリ番号を格納し（Ｓ１４７６）、送信先決定処理を終了する。
【００６９】
送信先決定処理によれば、送信先メモリ１４１に格納されたファクシミリ番号から、ユーザの所望のファクシミリ番号を選択させ、決定送付先エリア１４１９に格納して設定することができる。
【００７０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００７１】
例えば、本実施形態では、送信先を特定する特定情報はＱＲコードであるものとして説明したが、ＱＲコードに限るものではなく、他の種類の二次元コード、バーコードなど、他のマークに送信先を特定する情報を持たせても良い。
【００７２】
また、Ｓ１５６やＳ１６０にて送信先情報や特定ロゴを、ＱＲコードの部分に上書きしているが、送信する画像データのレイアウトとして適した位置に送信先情報や特定ロゴを付加してもよい。例えば、送信先情報は、ＱＲコードの位置にかかわらず、画像データの上端部分に付加してもよい。
【００７３】
また、本実施形態では、ＱＲ−ＦＡＸスタートボタンによりファクシミリ送信処理があった場合に、ＱＲコードを抽出しているが、すべてのファクシミリ送信処理においてＱＲコードの有無を判断して、ＱＲコードが含まれている場合に、ＱＲコードにより特定される送信先に画像データを送信するようにしてもよい。この場合、ＱＲコードにより特定される送信先以外の送信先に画像データを送信できるように、送信先決定処理では、送信先メモリに記憶された送信先以外に、電話帳メモリから読み出した送信先や操作パネルから指定した送信先をも選択可能な表示形態をとるとよい。
【図面の簡単な説明】
【００７４】
【図１】本発明の実施形態である多機能周辺装置の電気的構成を示したブロック図である。
【図２】送信先メモリの構成を模式的に示した図である。
【図３】ＬＣＤにおける送信先情報の表示の順序を示す図である。
【図４】ファクシミリ送信処理を示したフローチャートである。
【図５】コード変換処理を示すフローチャートである。
【図６】送信先データ登録処理を示すフローチャートである。
【図７】送信処理を示すフローチャートである。
【図８】送信先決定処理を示すフローチャートである。
【図９】ファクシミリ送信処理を行う原稿、画像データの一例を示す図である。
【符号の説明】
【００７５】
１            多機能周辺装置（ファクシミリ装置）
１３１        記憶手段
Ｓ４          読取手段
Ｓ１４６      設定手段
Ｓ１４６２    送信先情報表示手段
Ｓ１４６４    選択手段
Ｓ１４７２    送信先情報表示手段
Ｓ１４７４    選択手段
Ｓ１５２      生成手段
Ｓ１５６      生成手段
Ｓ１６０      生成手段
Ｓ１６４      送信手段
【図１】
2008113370.tif 000003
【図２】
2008113370.tif 000004
【図３】
2008113370.tif 000005
【図４】
2008113370.tif 000006
【図５】
2008113370.tif 000007
【図６】
2008113370.tif 000008
【図７】
2008113370.tif 000009
【図８】
2008113370.tif 000010
【図９】
2008113370.tif 000011